(57)【要約】【課題】低コストでパラレル信号としての40GbEや100GbE信号等のLANクライアント信号を広域転送する。【解決手段】本発明は、パラレル形式で伝送されるクライアント光信号を受信し、該光信号のパラレルレーン数を変えることなく電気信号に変換し、パラレル形式の電気信号をパラレル形式のままネットワーク側用の伝送フレームへ載せ換えを行い、パラレル信号を必要に応じて符号変換を行い、プリコード化信号を用いて、複数の光キャリアの光変調を行う送信ブロックと、送信ブロックから受信した光変調信号を分離し、分離された各サブキャリア信号を受信し、復号化されたサブキャリア信号のフレーム処理を行い、ネットワーク側用の伝送フレームからパラレル化クライアント信号を抽出し、パラレル化光信号へ変換する受信ブロックを有する。【選択図】図１
2010050803.tif 000002
【特許請求の範囲】
【請求項１】
クライアント側からの光信号を受信し、ネットワーク側信号へ変換して出力する送信ブロックと、ネットワーク側からの光信号を受信し、該クライアント側へ信号を変換して出力する受信ブロックからなる光伝送システムであって、
前記送信ブロックは、
光周波数もしくは波長領域においてパラレル形式で伝送されるクライアント光信号を受信し、該光信号のパラレルレーン数を変えることなく電気信号に変換するクライアント信号受信手段と、
前記パラレル形式の電気信号をパラレル形式のままネットワーク側用の伝送フレームへ載せ換えを行うフレーム収容手段と、
前記フレーム収容手段からのパラレル信号を必要に応じて符号変換を行うプリコード手段と、
前記プリコード手段にて発生したプリコード化信号を用いて、複数の光キャリアの光変調を行う光変調手段と、
を有し、
前記受信ブロックは、
前記送信ブロックから受信した光変調信号を分離するサブキャリア分離手段と、
前記サブキャリア分離手段にて分離された各サブキャリア信号を受信し、復号化を行うサブキャリア受信手段と、
前記サブキャリア受信手段にて復号化されたサブキャリア信号のフレーム処理を行い、前記ネットワーク側用の伝送フレームからパラレル化クライアント信号を抽出するフレーム処理手段と、
前記パラレル化クライアント信号をパラレル化光信号へ変換するクライアント信号送信手段と、
を有することを特徴とする光伝送システム。
【請求項２】
クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
前記送信ブロックは、
光周波数もしくは波長領域においてパラレル形式で伝送されるクライアント光信号を受信し、該光信号のパラレル形式のまま電気信号に変換するクライアント信号受信手段と、
前記クライアント信号受信手段でパラレル化されたクライアント信号のパラレルレーン同士の位相関係を元の状態に揃えるデスキュー調整手段と、
前記デスキュー調整手段にて位相関係を調整されたパラレル形式の電気信号をパラレル形式のままネットワーク側用の伝送フレームへ載せ換えを行うフレーム収容手段と、
前記フレーム収容手段からのパラレル信号を必要に応じて符号変換を行うプリコード手段と、
光周波数領域で複数のキャリアを発生させるマルチキャリア発生手段と、
前記マルチキャリア発生手段にて発生させたマルチキャリア信号を前記プリコード手段にて発生したプリコード化信号を用いてOFDM(Orthogonal Frequency Division Multiplexing)サブキャリア変調を行うOFDMサブキャリア変調手段と、
を有し、
前記受信ブロックは、
前記送信ブロックから受信したOFDMサブキャリア変調された光変調信号の各サブキャリアを分離するサブキャリア分離手段と、
サブキャリア分離手段にて分離された各サブキャリア信号を受信し、復号化を行うサブキャリア受信手段と、
前記サブキャリア受信手段で復号化されたサブキャリア信号のフレーム処理を行い、前記ネットワーク用伝送フレームからフレーム収容前信号を抽出するフレーム処理手段と、
前記フレーム処理手段で抽出されたパラレル化信号の位相関係を調整し、位相を揃えるスキュー調整手段と、
前記スキュー調整手段から出力されるパラレル化電気信号をパラレル化光信号へ変換するクライアント信号送信手段と、
を有することを特徴とする光伝送システム。
【請求項３】
クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
前記送信ブロックは、
光周波数もしくは波長領域においてパラレル形式で伝送されるクライアント光信号を受信し、該光信号のパラレル形式のまま電気信号に変換するクライアント信号受信手段と、
前記クライアント信号受信手段でパラレル化されたクライアント信号のパラレルレーン同士の位相関係を元の状態に揃えるデスキュー調整手段と、
前記デスキュー調整手段にて位相関係を調整されたパラレル形式の電気信号をバルク信号として扱い、該バルク信号を複数の信号に分割し、個別にネットワーク用フレームに収容を行うフレーム収容手段と、
前記フレーム収容手段からのパラレル信号を必要に応じて符号変換を行うプリコード手段と、
光周波数領域で複数のキャリアを発生させるマルチキャリア発生手段と、
前記マルチキャリア発生手段にて発生させたマルチキャリア信号を前記プリコード手段にて発生したプリコード化信号を用いてOFDMサブキャリア変調を行うOFDMサブキャリア変調手段と、
を有し、
前記受信ブロックは、
前記送信ブロックから受信したOFDMサブキャリア変調された光変調信号の各サブキャリアを分離するサブキャリア分離手段と、
前記サブキャリア分離手段にて分離された各サブキャリア信号を受信し、復号化を行うサブキャリア受信手段と、
前記サブキャリア受信手段で復号化された各レーン毎のサブキャリア信号からネットワーク用フレームのオーバヘッド部分を取り除き、取り除いた信号からバルク信号への復元を行うフレーム処理手段と、
前記バルク信号から、パラレル化信号を発生させ、同時に該パラレル化信号の位相関係を調整し、位相を揃えるスキュー調整手段と、
前記スキュー調整手段から出力されるパラレル化電気信号をパラレル化光信号へ変換するクライアント信号送信手段と、
を有することを特徴とする光伝送システム。
【請求項４】
クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
前記送信ブロックは、
光周波数もしくは波長領域においてパラレル形式で伝送されるクライアント光信号を受信し、該光信号のパラレルレーン数を変えずに電気信号に変換するクライアント信号受信手段と、
前記クライアント信号受信手段から出力されたパラレル形式の電気信号をパラレル形式のままネットワーク側用の伝送フレームへ載せ換えを行うフレーム収容手段と、
前記フレーム収容手段からのパラレル信号を必要に応じて符号変換を行うプリコード手段と、
光周波数領域で複数のキャリアを発生させるマルチキャリア発生手段と、
前記マルチキャリア発生手段にて発生させたマルチキャリア信号を前記プリコード手段にて発生させたプリコード化信号を用いてOFDMサブキャリア変調を行うOFDMサブキャリア変調手段と、
を有し、
前記受信ブロックは、
前記送信ブロックから受信したOFDMサブキャリア変調された光変調信号の各サブキャリアを分離するサブキャリア分離手段と、
前記サブキャリア分離手段にて分離された各サブキャリア信号を受信し、復号化を行うサブキャリア受信手段と、
前記サブキャリア受信手段で復号されたサブキャリア信号のフレーム処理を行い、前記ネットワーク用伝送フレームからパラレル化クライアント信号を抽出するフレーム処理手段と、
前記パラレル化クライアント信号をパラレル化光信号へ変換するクライアント信号送信手段と、
を有することを特徴とする光伝送システム。
【請求項５】
クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
前記送信ブロックは、
光周波数もしくは波長領域においてパラレル形式で伝送されるクライアント光信号を受信し、該光信号のパラレル形式のまま電気信号に変換するクライアント信号受信手段と、
クライアント信号受信手段でパラレル化されたクライアント信号のパラレルレーン同士の位相関係を元の状態に揃えるデスキュー調整手段と、
前記デスキュー調整手段にて位相関係を調整されたパラレル形式の電気信号をバルク信号として扱い、該バルク信号を複数の信号に分割し、個別にネットワーク用フレームに収容を行うフレーム収容手段と、
前記フレーム収容手段からのパラレル信号を必要に応じて符号変換を行うプリコード手段と、
複数の波長を発生する光源手段と、
前記光源手段からのCW(Continuous Wave)光信号を変調する変調手段と、
前記変調手段から出力された複数の波長の変調信号を合波する波長合波手段と、
を有し、
前記受信ブロックは、
前記送信ブロックから受信した波長多重信号を分離する波長分離手段と、
前記波長分離手段により波長毎に分離された信号を受信する受信手段と、
波長毎に受信された信号からネットワークフレームのオーバヘッドを除去し、クライアントのバルク信号を生成するフレーム処理手段と、
前記バルク信号から、パラレル化信号を発生し、同時にパラレル化信号の位相関係を調整し、位相を揃えるスキュー調整手段と、
前記スキュー調整手段から出力されるパラレル化電気信号をパラレル化光信号へ変換するクライアント信号送信手段と、
を有することを特徴とする光伝送システム。
【請求項６】
クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
前記送信ブロックは、
光周波数もしくは波長領域においてパラレル形式で伝送されるクライアント光信号を受信し、該光信号のパラレル形式のまま電気信号に変換するクライアント信号受信手段と、
前記クライアント信号受信手段でパラレル化されたクライアント信号のパラレルレーン同士の位相関係を元の状態に揃えるデスキュー調整手段と、
前記デスキュー調整手段にて位相関係を調整されたパラレル形式の電気信号をバルク信号として扱い、バルク信号を複数の信号に分割し、個別にネットワーク用フレームに収容を行うフレーム収容手段と、
前記フレーム収容手段からのパラレル信号を必要に応じて符号変換を行うプリコード手段と、
２つの直交する偏波を出力する光源手段と、
前記光源手段からのCW(Continuous Wave)光信号を偏重する変調手段と、
２つの直交する偏波方向の変調信号を合成する偏波多重手段と、
を有し、
前記受信ブロックは、
前記送信ブロックから受信した偏波多重信号を各偏波に分離する偏波多重分離手段と、
前記偏波多重分離手段により分離された偏波毎に信号を受信する受信手段と、
前記波長毎に受信された信号からネットワークフレームのオーバヘッドを除去し、クライアントのバルク信号を生成するフレーム処理手段と、
前記バルク信号から、パラレル化信号を発生させ、同時にパラレル化信号の位相関係を調整し、位相を揃えるスキュー調整手段と、
前記スキュー調整手段から出力されるパラレル化電気信号をパラレル化光信号へ変換するクライアント信号送信手段と、
を有することを特徴とする光伝送システム。
【請求項７】
前記プリコード手段におけるプリコード符号の変調フォーマットは、NRZ(Non Return Zero)形式、DPSK(Differential Phase Shift Keying)形式、DQPSK(Differential Quadrature Phase Shift Keying)形式、QPSK(Quadrature Phase Shift Keying)形式、PSK(Phase Shift Keying)形式、または、ODB(Optical Duobinary)形式のいずれかとする
請求項１乃至６のいずれか１項記載の光伝送システム。
【請求項８】
前記フレーム収容手段及び前記フレーム処理手段で取り扱うネットワーク側伝送フレーム構造がOTU(Optical channel Transport Unit)フレームである
請求項１乃至６記載の光伝送システム。
【請求項９】
前記クライアント信号が64B/66B符号化された10.3125BG/sの信号で、ネットワーク側伝送フレームはOTU2eフレーム、または、OTU１eフレームである、
請求項８記載の光伝送システム。
【請求項１０】
前記ネットワーク側伝送フレーム構造は、over-clocked OTU3フレームであり、そのビットレートが約56Gb/sである
請求項８記載の光伝送システム。
【請求項１１】
前記ネットワーク伝送フレーム構造は、OTU3フレームであり、そのビットレートが43.018Gb/sである
請求項８記載の光伝送システム。
【請求項１２】
前記サブキャリア受信手段、または、前記受信手段は、
光信号を直接検波する手段を含む
請求項１乃至６のいずれか１項記載の光伝送システム。
【請求項１３】
前記サブキャリア受信手段、または、前記受信手段は、
光信号をコヒーレント受信する手段を含む
請求項１乃至６のいずれか１項記載の光伝送システム。
【発明の詳細な説明】
【技術分野】
【０００１】
本発明は、光伝送システムに係り、特に、クライアント信号を収容し、伝送を行うディジタル光伝送システムに関する。
【背景技術】
【０００２】
光伝送システムにおいては、既存のサービス信号を多重化するためのディジタルハイアラーキとして、ＳＤＨ(Synchronous Digital Hierarchy)が国際的に標準化されている。米国では、ＳＤＨと同様のＳＯＮＥＴ（Synchronous Optical Network）がスタンダードとなっている。現在の光伝送システムは、ＳＯＮＥＴ／ＳＤＨ仕様に準拠した光伝送システムが主流となっており、これまで世界中に大量導入されている。近年、インターネットトラヒックの爆発的増大に対応可能である波長多重伝送（ＷＤＭ）方式を前提とし、ＳＤＨ／ＳＯＮＥＴのみならず、ATM，Ethernetなど多様なクライアントをトランスペアレントに伝送するプラットフォームとして、Optical Transport Network（OTN）が標準化されており、今後の光伝送システムの主流となる見込みである（例えば、非特許文献１参照）。
【０００３】
近年、爆発的なインターネットの普及により、イーサネットインタフェースが急増しており、２００７年には、Ethernetインタフェースの出荷台数がＳＯＮＥＴ／ＳＤＨインタフェースを超えると予測されていた。ギガクラスのイーサネット信号としては、1.25Gbit/sの１ギガビットイーサ（1GbE）信号、及び、10.3125Gbit/sの１０ギガビットイーサ（10GbE）LAN-PHY信号が標準化されている。今後、通信キャリアのクライアント信号として、10GbEが主流となると見込まれている。更に、遠隔地に点在するＬＡＮ環境をLAY-PHYでそのまま接続したいという要求が高まっている。さらにまた、近年IEEE802.3baにて40GbE、100GbEの標準化が開始されており、標準化成立後クライアントとして広域転送の要求が高まるものと考えられる。
【０００４】
1GbEや10GbEについては、図１８に示すように、シリアル信号のクライアント信号をさらに高速信号に多重化するか、あるいはそのまま10Gb/sクラスのOTNフレームにマッピングしてシリアル信号として送信している。10GbE LANの場合には、10Gb/sクラスのOPU2eフレームにクライアント信号を直接マッピングしてOTU2e伝送フレームとして出力され、10Gb/sクラスの光変調が行われ、10Gb/sクラスの光信号として対向する装置まで伝送される（例えば、非特許文献２参照）。
【非特許文献１】ITU-T G. 709
【非特許文献２】ITU-T G.sup43
【発明の開示】
【発明が解決しようとする課題】
【０００５】
40GbE信号や100GbE信号のＬＡＮ信号は、例えば、40GbEの場合10G×4、100GbEの場合10G×10、25G×４等のパラレル形式で標準化される見込みである。一方のＷＡＮ側をこれまで通りのシリアル化した場合、40Gb/sや100Gb/sといった高速信号にて信号を変調する必要があるためシステム全体としては高価なものになってしまう。
【０００６】
本発明は、上記の点に鑑みなされたもので、低コストでパラレル信号としての40GbEや100GbE信号等のLANクライアント信号を広域転送する光伝送システムを提供することを目的とする。
【課題を解決するための手段】
【０００７】
図１は、本発明の原理構成図である。
【０００８】
本発明（請求項１）は、クライアント側からの光信号を受信し、ネットワーク側信号へ変換して出力する送信ブロックと、ネットワーク側からの光信号を受信し、該クライアント側へ信号を変換して出力する受信ブロックからなる光伝送システムであって、
送信ブロック１００は、
光周波数もしくは波長領域においてパラレル形式で伝送されるクライアント光信号を受信し、該光信号のパラレルレーン数を変えることなく電気信号に変換するクライアント信号受信手段１６０と、
パラレル形式の電気信号をパラレル形式のままネットワーク側用の伝送フレームへ載せ換えを行うフレーム収容手段１５０と、
フレーム収容手段１５０からのパラレル信号を必要に応じて符号変換を行うプリコード手段１４０と、
プリコード手段１４０にて発生したプリコード化信号を用いて、複数の光キャリアの光変調を行う光変調手段１３０と、
を有し、
受信ブロック２００は、
送信ブロック１００から受信した光変調信号を分離するサブキャリア分離手段２１０と、
サブキャリア分離手段２１０にて分離された各サブキャリア信号を受信し、復号化を行うサブキャリア受信手段２２０と、
サブキャリア受信手段２２０にて復号化されたサブキャリア信号のフレーム処理を行い、ネットワーク側用の伝送フレームからパラレル化クライアント信号を抽出するフレーム処理手段２３０と、
パラレル化クライアント信号をパラレル化光信号へ変換するクライアント信号送信手段２４０と、を有する。
【０００９】
本発明（請求項２）は、クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
送信ブロックは、
光周波数もしくは波長領域においてパラレル形式で伝送されるクライアント光信号を受信し、該光信号のパラレル形式のまま電気信号に変換するクライアント信号受信手段と、
クライアント信号受信手段でパラレル化されたクライアント信号のパラレルレーン同士の位相関係を元の状態に揃えるデスキュー調整手段と、
デスキュー調整手段にて位相関係を調整されたパラレル形式の電気信号をパラレル形式のままネットワーク側用の伝送フレームへ載せ換えを行うフレーム収容手段と、
フレーム収容手段からのパラレル信号を必要に応じて符号変換を行うプリコード手段と、
光周波数領域で複数のキャリアを発生させるマルチキャリア発生手段と、
マルチキャリア発生手段にて発生させたマルチキャリア信号をプリコード手段にて発生したプリコード化信号を用いてOFDMサブキャリア変調を行うOFDMサブキャリア変調手段と、
を有し、
受信ブロックは、
送信ブロックから受信したOFDMサブキャリア変調された光変調信号の各サブキャリアを分離するサブキャリア分離手段と、
サブキャリア分離手段にて分離された各サブキャリア信号を受信し、復号化を行うサブキャリア受信手段と、
サブキャリア受信手段で復号化されたサブキャリア信号のフレーム処理を行い、ネットワーク用伝送フレームからフレーム収容前信号を抽出するフレーム処理手段と、
フレーム処理手段で抽出されたパラレル化信号の位相関係を調整し、位相を揃えるスキュー調整手段と、
スキュー調整手段から出力されるパラレル化電気信号をパラレル化光信号へ変換するクライアント信号送信手段と、を有する。
【００１０】
本発明（請求項３）は、クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
送信ブロックは、
光周波数もしくは波長領域においてパラレル形式で伝送されるクライアント光信号を受信し、該光信号のパラレル形式のまま電気信号に変換するクライアント信号受信手段と、
クライアント信号受信手段でパラレル化されたクライアント信号のパラレルレーン同士の位相関係を元の状態に揃えるデスキュー調整手段と、
デスキュー調整手段にて位相関係を調整されたパラレル形式の電気信号をバルク信号として扱い、該バルク信号を複数の信号に分割し、個別にネットワーク用フレームに収容を行うフレーム収容手段と、
フレーム収容手段からのパラレル信号を必要に応じて符号変換を行うプリコード手段と、
光周波数領域で複数のキャリアを発生させるマルチキャリア発生手段と、
マルチキャリア発生手段にて発生させたマルチキャリア信号をプリコード手段にて発生したプリコード化信号を用いてOFDMサブキャリア変調を行うOFDMサブキャリア変調手段と、
を有し、
受信ブロックは、
送信ブロックから受信したOFDMサブキャリア変調された光変調信号の各サブキャリアを分離するサブキャリア分離手段と、
サブキャリア分離手段にて分離された各サブキャリア信号を受信し、復号化を行うサブキャリア受信手段と、
サブキャリア受信手段で復号化された各レーン毎のサブキャリア信号からネットワーク用フレームのオーバヘッド部分を取り除き、取り除いた信号からバルク信号への復元を行うフレーム処理手段と、
バルク信号から、パラレル化信号を発生させ、同時に該パラレル化信号の位相関係を調整し、位相を揃えるスキュー調整手段と、
スキュー調整手段から出力されるパラレル化電気信号をパラレル化光信号へ変換するクライアント信号送信手段と、を有する。
【００１１】
本発明（請求項４）は、クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
送信ブロックは、
光周波数もしくは波長領域においてパラレル形式で伝送されるクライアント光信号を受信し、該光信号のパラレルレーン数を変えずに電気信号に変換するクライアント信号受信手段と、
クライアント信号受信手段から出力されたパラレル形式の電気信号をパラレル形式のままネットワーク側用の伝送フレームへ載せ換えを行うフレーム収容手段と、
フレーム収容手段からのパラレル信号を必要に応じて符号変換を行うプリコード手段と、
光周波数領域で複数のキャリアを発生させるマルチキャリア発生手段と、
マルチキャリア発生手段にて発生させたマルチキャリア信号をプリコード手段にて発生させたプリコード化信号を用いてOFDMサブキャリア変調を行うOFDMサブキャリア変調手段と、
を有し、
受信ブロックは、
送信ブロックから受信したOFDMサブキャリア変調された光変調信号の各サブキャリアを分離するサブキャリア分離手段と、
サブキャリア分離手段にて分離された各サブキャリア信号を受信し、復号化を行うサブキャリア受信手段と、
サブキャリア受信手段で復号されたサブキャリア信号のフレーム処理を行い、ネットワーク用伝送フレームからパラレル化クライアント信号を抽出するフレーム処理手段と、
パラレル化クライアント信号をパラレル化光信号へ変換するクライアント信号送信手段と、を有する。
【００１２】
本発明（請求項５）は、クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
送信ブロックは、
光周波数もしくは波長領域においてパラレル形式で伝送されるクライアント光信号を受信し、該光信号のパラレル形式のまま電気信号に変換するクライアント信号受信手段と、
クライアント信号受信手段でパラレル化されたクライアント信号のパラレルレーン同士の位相関係を元の状態に揃えるデスキュー調整手段と、
デスキュー調整手段にて位相関係を調整されたパラレル形式の電気信号をバルク信号として扱い、該バルク信号を複数の信号に分割し、個別にネットワーク用フレームに収容を行うフレーム収容手段と、
フレーム収容手段からのパラレル信号を必要に応じて符号変換を行うプリコード手段と、
複数の波長を発生する光源手段と、
光源手段からのCW光信号を変調する変調手段と、
変調手段から出力された複数の波長の変調信号を合波する波長合波手段と、
を有し、
受信ブロックは、
送信ブロックから受信した波長多重信号を分離する波長分離手段と、
波長分離手段により波長毎に分離された信号を受信する受信手段と、
波長毎に受信された信号からネットワークフレームのオーバヘッドを除去し、クライアントのバルク信号を生成するフレーム処理手段と、
バルク信号から、パラレル化信号を発生し、同時にパラレル化信号の位相関係を調整し、位相を揃えるスキュー調整手段と、
スキュー調整手段から出力されるパラレル化電気信号をパラレル化光信号へ変換するクライアント信号送信手段と、を有する。
【００１３】
本発明（請求項６）は、クライアント側からの光信号を受信し、ネットワーク側信号へ変換して出力する送信ブロックと、ネットワーク側からの光信号を受信し、クライアント側へ信号を変換して出力する受信ブロックからなる光伝送システムであって、
送信ブロックは、
光周波数もしくは波長領域においてパラレル形式で伝送されるクライアント光信号を受信し、該光信号のパラレル形式のまま電気信号に変換するクライアント信号受信手段と、
クライアント信号受信手段でパラレル化されたクライアント信号のパラレルレーン同士の位相関係を元の状態に揃えるデスキュー調整手段と、
デスキュー調整手段にて位相関係を調整されたパラレル形式の電気信号をバルク信号として扱い、バルク信号を複数の信号に分割し、個別にネットワーク用フレームに収容を行うフレーム収容手段と、
フレーム収容手段からのパラレル信号を必要に応じて符号変換を行うプリコード手段と、
２つの直交する偏波を出力する光源手段と、
光源手段からのCW(Continuous Wave)光信号を偏重する変調手段と、
２つの直交する偏波方向の変調信号を合成する偏波多重手段と、
を有し、
受信ブロックは、
送信ブロックから受信した偏波多重信号を各偏波に分離する偏波多重分離手段と、
偏波多重分離手段により分離された偏波毎に信号を受信する受信手段と、
波長毎に受信された信号からネットワークフレームのオーバヘッドを除去し、クライアントのバルク信号を生成するフレーム処理手段と、
バルク信号から、パラレル化信号を発生させ、同時にパラレル化信号の位相関係を調整し、位相を揃えるスキュー調整手段と、
スキュー調整手段から出力されるパラレル化電気信号をパラレル化光信号へ変換するクライアント信号送信手段と、を有する。
【００１４】
また、本発明（請求項７）は、請求項１乃至６に記載のプリコード手段におけるプリコード符号の変調フォーマットを、NRZ形式、DPSK形式、DQPSK形式、QPSK形式、PSK形式、または、ODB形式のいずれかとする。
【００１５】
また、本発明（請求項８）は、請求項１乃至６に記載のフレーム収容手段及びフレーム処理手段で取り扱うネットワーク側伝送フレーム構造をOTUフレームとする。
【００１６】
また、本発明（請求項９）は、請求項８の記載におけるクライアント信号が64B/66B符号化された10.3125BG/sの信号で、ネットワーク側伝送フレームはOTU2eフレーム、または、OTU１eフレームである。
【００１７】
また、本発明（請求項１０）は、請求項８の記載におけるネットワーク側伝送フレーム構造を、over-clocked OTU3フレームとし、そのビットレートを約56Gb/sとする。
【００１８】
また、本発明（請求項１１）は、請求項８の記載におけるネットワーク伝送フレーム構造を、OTU3フレームとし、そのビットレートを43.018Gb/sとする。
【００１９】
また、本発明（請求項１２）は、請求項1乃至６に記載のサブキャリア受信手段、または、受信手段に、光信号を直接検波する手段を含む。
【００２０】
また、本発明（請求項１３）は、請求項1乃至６に記載のサブキャリア受信手段、または、受信手段に、光信号をコヒーレント受信する手段を含む。
【発明の効果】
【００２１】
上記のように、本発明によれば、低速の長距離転送フレームを複数用いて、100Gb/s
クラスの高速信号を長距離伝送可能な送受信器の構成を備えることにより、100GbE等のパラレル化されたクライアント信号を100Gb/sのシリアル信号レベルでの変復調することなく伝送することが可能となり、これにより、100Gb/s信号を長距離転送するために100Gb/sシリアル用の部品を不要とすることができ、システムの経済化が図れる。
【発明を実施するための最良の形態】
【００２２】
以下、図面と共に本発明の実施の形態を説明する。
【００２３】
［第１の実施の形態］
図２は、本発明の第１の実施の形態における光伝送システムの構成を示す。
【００２４】
同図に示す光伝送システムは、光送信部１００、光伝送路３００、光受信部２００から構成される。
【００２５】
光送信部１００は、光源部１１０、光マルチキャリア発生部１２０、OFDMサブキャリブレーション変調部１３０、プリコード機能部１４０、OTUフレーム収容部１５０、100GbE Ｏ／Ｅ部１６０から構成される。
【００２６】
光受信部２００は、サブキャリア分離部２１０、サブキャリア受信部２２０、OTUフレーム処理部２３０、100GbE E/O部２４０から構成される。
【００２７】
100GbEのＬＡＮ信号は、10.3125Gb/s×10パラレル形式で送受信されていることを想定している。
【００２８】
光送信部１００で受信された100GbE信号は、100GbE O/E部１６０において光信号から電気信号への変換が行われ、10.125Gb/s×10並列の電気信号として出力される。出力信号は、フレーム収容部１５０へ入力される。10.3125Gb/sの信号はそれぞれ64B/66B符号化が行われており、各レーン毎に64B/66Bを用いた同期状態監視、64B/66Bによる誤り率検出等のクライアント信号の品質レベルがモニタされた後、OPU2eフレームへのマッピングが行われ、OTU2e(11.095Gb/s)×10信号として出力される。ここでは、OTU2e(11.095Gb/s)へのマッピング例を示したが、OTU1e(11.049Gb/s)への収容も可能である。
【００２９】
フレーム収容部１５０にフレーム収容された信号は、プリコード機能部１４０に入力される。プリコード機能部１４０では、必要に応じてＤＰＳＫ，ＤＱＰＳＫ等の変調方式に対応したプリコードが施される。プリコード機能部１４０からの出力信号は、ＯＦＤＭサブキャリア変調部１３０に入力される。一方、光源部１１０からの出力光信号は、光マルチキャリア発生部１２０において、光の周波数領域にて複数の光キャリアを発生させる。各光キャリア信号はそれぞれフレーム化された信号により、OFDMサブキャリア変調部１３０においてOFDMサブキャリア変調され出力される。各変調信号は合波され、１つのOFDM信号にまとめられる。OFDM信号は光伝送路３００を伝送された後、光受信部２００へ入力される。
【００３０】
光受信部２００では、OFDM信号から各サブキャリア信号を分離するサブキャリア分離部２１０へ入力された後、サブキャリア毎に変調信号を復調するサブキャリア受信部２２０に入力され、復調が行われる。復調された信号はフレーム処理部２３０に入力され、各OTU2e信号から64B/66B符号化された100GbEの各レーンの信号が再生される。Ｅ／Ｏ変換部２４０では、10.3125Gb/s×10の電気信号を光信号に変換して100GbEの光信号として出力する。
【００３１】
なお、光送信部１００の光マルチキャリア発生部１２０で生成された複数の光キャリアの周波数間隔をプリコード機能部１４０の出力信号のシンボルレート（＝ボーレート）と等しくなるように設定すると、各サブキャリアが直交関係を持つ光OFDM信号とすることができる。
【００３２】
図３は、本発明の第１の実施の形態におけるＯＦＤＭ信号発生のメカニズムを示す。光源部１１０の出力信号を光マルチキャリア信号発生部１２０に入力し、１０のキャリアを持つマルチキャリア光を発生する。それぞれのマルチキャリア光を分離し、個別にサブキャリア変調信号により変調を行う。図２、図３では、各光キャリアに対して１サブキャリアのＯＦＤＭ変調を行う例を示している。また、サブキャリアの分離には、文献「Kobayashi Et al., "Electrically subcarrier multiplexed 110 Gb/s OFDM signal transmission over 80km SMF without dispersion compensation", OECC2007 PD1-6」等に示されているように光フィルタを用いて行うことができる。
【００３３】
本実施の形態では、64B/66B符号化された１０レーンの100GbE信号をOver-clockingによるOTU2フレーム（OTU2e及びOTU1eと記載）を記しているが、64B/66B符号化を512B/513B、512B/514B、1024B/1027B等のトランスコーディングによりビットレートを変換した後、OTUフレームへマッピングする方式も考えられる。
【００３４】
また、本実施の形態では、１つの偏波光源を用いて１０サブキャリアを発生させて変調を行い、伝送を行うことも可能であると考えられる。その場合、光受信部２００では、偏波を分離する偏波分離部をサブキャリア分離部２１０の前に設置するか、コヒーレント検波を用いて、サブキャリア分離後に、受信した信号から偏波を分離することもできる。
【００３５】
［第２の実施の形態］
図４は、本発明の第２の実施の形態における光伝送システムの構成を示す。
【００３６】
同図に示す光伝送システムは、光送信部４００、光伝送路６００、光受信部５００から構成される。
【００３７】
光送信部４００は、光源部４１０、光マルチキャリア発生部６２０、サブキャリア変調部６３０、プリコード機能部６４０、OTUフレーム収容部６５０、deskew調整部６６０、100GbE O/E部６７０から構成される。
【００３８】
光受信部５００は、サブキャリア分離部５１０、サブキャリア受信部５２０、ＯＴＵフレーム処理部５３０、deskew調整部５４０、100GbE E/O部５５０から構成される。
【００３９】
第１の実施の形態との違いは、送信部４００において、100GbeE信号を受信した後、10.3125Gb/s×10レーン信号のレーン間の位相差（スキュー）を調整し、スキューをゼロに戻す機能をレーン毎に個別にフレーム化する前に入れたこと、並びに、光受信部５００においてフレーム処理を行った後に、64B/66Bのアライメントフレームを用いて各レーンの位相差（スキュー）を調整し、ゼロに戻した後100GbE E/O部５６０を経由して出力する部分である。スキュー調整を光送信部４００、光受信部５００に配置することにより、光伝送システムにおけるレーン毎のスキューを補償すると共に、クライアント装置と本光伝送システム間の伝送距離を延ばすことができる。
【００４０】
図４のその他の構成部分については、第１の実施の形態と同様であるので、その説明を省略する。
【００４１】
ここで、スキュー調整について説明する。
【００４２】
現在100GbE LANについての標準化が進められているが、LANの世界では伝送距離が短距離ということもあり、複数のファイバを用いたパラレル伝送等が検討されており、それら複数のファイバ間の長さの差分等によって生じるパラレル信号間の遅延時間差（位相差）を吸収する方法が検討されている。図５は、40GbE LANシステムの構成例を示す。また、図６には、40GbEにて標準化が進められているMLD(マルチレーンディストリビューション)によるレーン間スキュー調整について示す。MAC処理部１１からの40G MAC信号（40.0Gb/s)をPCS１２2にて64B/66B符号化を行って、41.25Gb/sの信号へ変換する。MLD１３2では、4×10Gb/sレーンの64B/66Bブロックにて４つのレーンの位相調整を実行するためのアライメント信号を挿入し、40GbE用送信部１４2へ送出される。40GbE用送信部１４2では、電気信号から光信号への変換を行って出力する。４つのレーンに対して異なる波長を割り当てることにより、波長多重部１５2にて波長を多重し出力する。受信部では、波長分離部２５１で波長多重信号を波長分離し、40GbE用受信部２４１で光−電気変換後MLD(Rx)ブロック２３１へ入力する。ここで、図６に示すように、各レーン毎に位相ずれ（スキュー）が発生するため、40GbE信号に埋め込まれたアライメント信号（図６のＡ）により、位相ずれを調整し、PCS(Rx)部２２１に入力される。PCS（Rx）部２２１では、64B/66B符号化を終端し、MACフレームを抽出する。
【００４３】
100GbEについては、40GbEとはレーン構成は異なるが同様にMLD２３によるスキュー調整機能を有する。図７は、100GbEにおけるMLDの構成を示す。100GbEの場合には、100GbE LAN光モジュールとは10Gb/s×10パラレルでインタフェースを取る方式であるが、MLDとして２０のレーンを用いて、２０レーンのアライメント信号を整列させることにより、レーン間の位相差（スキュー）を吸収する。
【００４４】
［第３の実施の形態］
図８は、本発明の第３の実施の形態における光伝送システムの構成図である。
【００４５】
同図に示す光伝送システムは、光送信部７００、光伝送路９００、光受信部８００から構成される。
【００４６】
光送信部７００は、光源部７１０、光マルチキャリア発生部７２０、サブキャリア変調部７３０、プリコード機能部７４０、Inverse-MUX & OTUフレーム収容部７５０、deskew調整部７６０、100GbE O/E部７７０から構成される。
【００４７】
光受信部８００は、サブキャリア分離部８１０、サブキャリア受信部８２０、OTUフレーム処理＆VCAT処理部８３０、deskew調整部８４０、100GbE E/O部８５０から構成される。
【００４８】
本実施の形態における第２の実施の形態との差分は、光送信部７００において、信号レーンの位相差を吸収した後、OTU2形式のフレームにマッピングする際にInverse MUX & OTUフレーム収容部７５０による振り分けを行う部分と、光受信部８００において、OTU2フレームからクライアント信号を取り出す際に、OTUフレーム処理&VCAT処理部８３０により複数のOTUフレームから100Gb/s級のバルク信号を取り出す。Inverse MUXによりOver-clocked OTU2(11.095Gb/s or 11.049Gb/s)フレームにマッピングする場合はパラレル数が１０であるが、G.709標準のOTU2フレーム（10.709Gb/s）の場合には１１パラレル信号となる。
【００４９】
ここでInverse MUX（インバースマックス）機能について既存の標準化技術を用いて説明する。
【００５０】
図９には、ITU-TG. 709にて規定される40G信号（STM-256）のOPU2-4vへのマッピング例を示している。参考のため、10G信号（STM-64）OPU2へのマッピング例も合わせて示す。両者を見比べるとOPU2-OHにおけるリザーブバイト（RES）を３バイトがバーチャルコンカチネーション（VCAT）用のオーバヘッドVCOHに代わっている以外はOPU2,を４つ並べた形となっていることがわかる。従って、データ領域は４倍であり、STM-256がSTM-64の４倍の容量であることから、OPU2-4vはOPU2の４倍のデータ容量を収容できる。NJO(Negative Justification Opportunity)、PJO(Positive Justification Opportunity)、JC(Justification Control)については非同期マッピング時に収容されるクライアント速度と収容する側のネットワーク速度の差分を吸収するものであり、G.709ではクライアント速度の精度は±20ppm、ネットワーク側についても精度は±20ppmとなる。バーチャルコンカチネーションのオーバヘッドについての詳細は、図１０に示す。ここで、MF1及びMF2はマルチフレーム表示であり、各OPU2フレーム間の遅延時間差を計測し、遅延置換差を調整するために用いられる。ＳＱはシーケンス番号を示すバイトであり、８ビットで最大２５６までのバーチャルコンカチネーションにおけるシーケンス番号を示すことができる。
【００５１】
また、Member statusはどのバーチャルコンカチネーショングループに属するのかを示すバイトである。従って、これらのオーバヘッドを用いて、どのバーチャルコンカチネーショングループに属し、その中の何番目のシーケンスに属するフレームで、遅延量がどの程度かを知ることができるため、これらの情報を用いて、OPU2-4vの場合には、OPU2
を４つ用いて40G信号を転送し、元の信号を復元することができる。
【００５２】
図１１、図１２にOver-clocked OTU-2(11.095Gb/s OTU2e)を用いたVCATフレーム構成例を示す。図１１及び図１２の差分はJCバイト及びNJOバイトの使い方であり、非同期マッピングによるバーチャルコンカチネーション時に用いられる。NJOバイトの位置については変更することも可能である。
【００５３】
なお、図８に示す上記以外の構成部分は、第２の実施の形態と同様であるため、その説明を省略する。
【００５４】
［第４の実施の形態］
図１３は、本発明の第４の実施の形態における光伝送システムの構成を示す。
【００５５】
同図に示す光伝送システムは、光送信部１０００、光伝送路１１００、光受信部１２００から構成される。
【００５６】
光送信部１０００は、光源部１１１０、光マルチキャリア発生部１１２０、サブキャリア変調部１１３０、プリコード機能部１１４０、Inverse-MUX & OTUフレーム収容部１１５０、deskew調整部１１５０、100GbE O/E部１１６０から構成される。
【００５７】
光受信部１２００は、サブキャリア分離部１２１０、サブキャリア受信部１２２０、OTUフレーム処理&VCAT処理部１２３０、deskew調整部１２４０、100GbE E/O部１２５０から構成される。
【００５８】
本実施の形態と第３の実施の形態との差分は、Inverse-MUX&OTUフレーム収容部１１４０において、Inverse MUX時に拡張OTU3(約56Gb/s)フレームに収容し、拡張OTU3フレーム2レーンにてパラレルに転送すること、並びに、受信時にも拡張OTU3フレーム2レーン分の信号からVCAT機能により100GbEのバルク信号を取り出すことである。拡張OTU3フレーム（約56Gb/s）は、ITU-T G. 709にて規定されるOTU3フレーム（ビットレート：43.018Gb/s）と同一構造のフレームでフレームの送信間隔を縮めて実効的にビットレートを増やしたオーバクロック動作によりビットレートを約56Gb/sまで高速化したOTU3フレームであり、ペイロード部分の帯域100GbE信号の帯域の約半分となる。
【００５９】
なお、InverseMUX時にITU-T G.709規定のOTU3標準フレームの場合には3パラレルレーンによる転送となる。
【００６０】
図１４及び図１５に具体的なInverse-MUXにおける56Gb/s拡張OTU3フレームによる収容例を示す。図１４及び図１５の違いは、ＪＣ及びＮＪＯの使用方法である。図１５では、ＮＪＯバイトをＦＳ領域を用いている。
【００６１】
なお、図１３に示す上記以外の構成部分については、第３の実施の形態と同様であるため、その説明を省略する。
【００６２】
［第５の実施の形態］
図１６は、本発明の第５の実施の形態における光伝送システムの構成図である。
【００６３】
同図に示す光伝送システムは、光送信部１３００、光伝送路１５００、光受信部１４００から構成される。
【００６４】
光送信部１３００は、２つの光源部１３１０、２つの変調部１３２０、偏波多重機能部１３３０、２つのプリコード機能部１３４０、Inverse MUX & OTUフレーム収容部１３５０、deskew調整部１３６０、100GbE O/E部１３７０から構成される。変調部１３２０aは、光源部１３１０aとプリコード機能部１３４０ｂから入力された信号を変調し、変調部１３２０ｂは、光源部１３１０ｂとプリコード機能部１３４０aから入力された信号を変調する。
【００６５】
光受信部１４００は、偏波分離部１４１０、２つの受信部１４２０、OTUフレーム処理＆VACT処理部１４３０、deskew調整部１４４０、100GbE E/O部１４５０から構成される。偏波分離機能部１４１０は、分離した偏波を受信部１４２０aと１４２０ｂに出力する。
【００６６】
本実施の形態と第４の実施の形態との差分は、第４の実施の形態では、OFDM変調信号による伝送であったが、本実施の形態では、２つのレーンの信号を個別に変調を行い、偏波多重により伝送を行うことにある。この場合、ファイバ中の偏波は２つであるため、通常のG.709機影のOTU3フレームにマッピングする場合には対応できず、フレーム周期を変更した拡張OTU3フレーム（約56Gb/s）による収容・伝送が可能となる。
【００６７】
なお、図１６に示す構成部分は、第４の実施の形態と同様であるため、その説明を省略する。
【００６８】
［第６の実施の形態］
図１７は、本発明の第６の実施の形態における光伝送システムの構成図である。
【００６９】
同図に示す光伝送システムは、光送信部１６００、光伝送路１８００、光受信部１７００から構成される。
【００７０】
光送信部１６００は、２つの光源部１６１０、２つの変調部１６２０、波長合波機能部１６３０、２つのプリコード機能部１６４０、Inverse-MUX & OTUフレーム収容部１６５０、deskew調整部１６６０、100GbE O/E部１６７０から構成される。
【００７１】
光受信部１８００は、波長分離機能部１７１０、２つの受信部１７２０、OTUフレーム処理＆VACT処理部１７３０、deskew調整部１７４０、100GbE E/O部１７５０から構成される。波長分離機能部１７１０は、分離した波長を受信部１７２０aと１７２０ｂに出力する。
【００７２】
本実施の形態と第５の実施の形態との差分は、第５の実施の形態では偏波多重により拡張OTUフレームによる２パラレルレーンによる伝送であったが、本実施の形態では、各レーンを波長に対応させた波長多重による伝送である点である。この場合には、第５の実施の形態と異なり、拡張OTU3フレームを用いた2レーンパラレル伝送に加えて、通常のG.709標準のOTU3フレーム（43.018Gb／s）による3レーンパラレル伝送が可能である。
【００７３】
図１７に示す上記以外の構成部分は第５の実施の形態と同様であるため、その説明を省略する。
【００７４】
上記の各実施の形態に示したように、本発明では、10G×10の信号を10G毎に長距離フレームに収容し、１０個の光キャリアが変調信号と直交するように配置し、それぞれの信号を長距離フレームのレートで変調することにより、光スペクトルとしてはマクロに見ると１つで、ミクロに見ると１０個のサブキャリアが変調されている信号を発生し、送受信を行う。これにより、100Gb/s信号を長距離転送するのに100Gb/sシリアル用の部品を不要とすることができる。
【００７５】
なお、本発明は、上記の実施の形態に限定されることなく、特許請求の範囲内において種々変更・応用が可能である。
【産業上の利用可能性】
【００７６】
本発明は、デジタル光伝送技術に適用可能である。
【図面の簡単な説明】
【００７７】
【図１】本発明の原理構成図である。
【図２】本発明の第1の実施の形態における光伝送システムの構成図である。
【図３】本発明の第1の実施の形態におけるOFDM信号発生のメカニズムを示す図である。
【図４】本発明の第２の実施の形態における光伝送システムの構成図である。
【図５】40GbE LANシステムの構成図である。
【図６】MLDにおけるレーン間スキュー調整について説明するための図である。
【図７】100GbEにおけるMLD構成図である。
【図８】本発明の第３の実施の形態における光伝送システムの構成図である。
【図９】STM-256信号のOPU2-4vへのマッピングである。
【図１０】バーチャルコンカチネーションのオーバヘッドを示す図である。
【図１１】100GbE信号の拡張OPU2-10v(OPU2e-10v)への収容例（その１）である。
【図１２】100GbE信号の拡張OPU2-10v(OPU2e-10v)への収容例（その２）である。
【図１３】本発明の第４の実施の形態における光伝送システムの構成図である。
【図１４】100GbEの拡張OPU3_2vへの収容例（その１）である。
【図１５】100GbEの拡張OPU3_2vへの収容例（その２）である。
【図１６】本発明の第５の実施の形態における光伝送システムの構成図である。
【図１７】本発明の第６の実施の形態における光伝送システムの構成図である。
【図１８】従来の光伝送システムの構成図である。
【符号の説明】
【００７８】
１１  MAC処理部
１２  PCS
１３  MLD
１４１  O/E（光−電気変換）部（40GbE用受信部）
１４２  E/O（電気−光変換）部（40GbE用送信部）
１５１  波長分離部
１５２  波長多重部
２１  MAC処理部
２２  PCS
２３  MLD
２４１  O/E（光−電気変換）部（40GbE用受信部）
２４２  E/O（電気−光変換）部（40GbE用送信部）
２５１  波長多重部
２５２  波長分離部
１００  送信ブロック、光送信部
１１０  光源部
１２０  光マルチキャリア発生部
１３０  光変調手段、OFDMサブキャリア変調部
１４０  プリコード手段、プリコード機能部
１５０  フレーム収容手段、OTUフレーム収容部
１６０  クライアント信号受信手段、100GbE O/E部
２００  受信ブロック、光受信部
２１０  サブキャリア分離手段、サブキャリア分離部
２２０  サブキャリア受信手段、サブキャリア受信部
２３０  フレーム処理手段、OTUフレーム処理部
２４０  クライアント信号送信手段、100GbE E/O部
３００，６００，９００，１１００，１５００，１８００  光伝送路
４００、７００，１０００，１３００  光送信部
４１０，７１０，１１１０，１３１０  光源部
４２０，７２０，１１２０  光マルチキャリア発生部
４３０，７３０，１１３０  サブキャリア変調部
４４０，７４０，１１４０、１３４０  プリコード機能部
４５０  OTUフレーム収容部
４６０，７６０，１１５０，１３６０，１６６０  deskew調整部
４７０，７７０，１１６０、１３７０，１６７０  100GbE O/E部
５００，８００，１２００  光受信部
５１０，８１０，１２１０  サブキャリア分離部
５２０，８２０，１２２０  サブキャリア受信部
５３０  OTUフレーム処理部
５４０，８４０，１２４０、１４４０，１７４０  deskew調整部
５５０，８５０，１２５０、１４５０，１７５０  100GbE E/O部
７５０，１１４０，１３５０，１６５０  Inverse−MUX & OTUフレーム収容部
８３０，１２３０，１４３０，１７３０  OTUフレーム処理&VCAT処理部
１３３０  偏波多重機能部
１４１０  偏波分離機能部
１４２０  受信部
１６２０  変調部
１６３０  波長合波機能部
１７１０  波長分離機能部
１７２０  受信部
【図１】
2010050803.tif 000003
【図２】
2010050803.tif 000004
【図３】
2010050803.tif 000005
【図４】
2010050803.tif 000006
【図５】
2010050803.tif 000007
【図６】
2010050803.tif 000008
【図７】
2010050803.tif 000009
【図８】
2010050803.tif 000010
【図９】
2010050803.tif 000011
【図１０】
2010050803.tif 000012
【図１１】
2010050803.tif 000013
【図１２】
2010050803.tif 000014
【図１３】
2010050803.tif 000015
【図１４】
2010050803.tif 000016
【図１５】
2010050803.tif 000017
【図１６】
2010050803.tif 000018
【図１７】
2010050803.tif 000019
【図１８】
2010050803.tif 000020